(57)【要約】【課題】設計図書からプラント監視制御のための入出力点リストを自動生成する際に、入出力点リストの各項目の表記を、表記の制限と整合させるようにした設計支援システムを得る。【解決手段】ブロック図１１やＥＷＤ図１２などの設計図書から入出力点リストの項目を抽出処理１３によって抽出し、この抽出した項目について、入出力点リスト制限管理ファイル１５に基づいて、表記の制限と整合しているかどうかを整合確認処理１４によって確認し、整合していない項目については、表記変更処理１６によって、予め決められた変換のためのルール１７を用いて変更し、変更できない場合にはルール１７を修正の上、再度、整合確認処理１４及び表記変更処理１６を実行して、制限と整合できた場合に入出力点リスト２１を出力するようにした。【選択図】図１
2010211502.tif 000002
【特許請求の範囲】
【請求項１】
設計図書からプラント監視制御のための入出力点リストを自動生成する設計支援システムであって、
上記入出力点リストの各項目の表記についての制限を定義した入出力点リスト制限管理ファイル、
上記表記についての制限に整合していない上記入出力点リストの項目の表記を上記制限に整合するように変換するための変換ルールを予め定めた表記変換ルールファイル、
上記設計図書から上記入出力点リストの項目を抽出する抽出手段、
この抽出手段によって抽出された上記入出力点リストの項目の表記が、上記入出力点リスト制限管理ファイルの上記表記についての制限に整合しているかどうかを確認する整合確認手段、
この整合確認手段によって上記整合が確認されない項目の表記を、上記表記変換ルールファイルを用いて、上記制限に整合するように変更する表記変更手段を備えたことを特徴とする設計支援システム。
【請求項２】
上記入出力点リストの各行である各パラメータについて、上記パラメータ間の表記の整合性をチェックするためのチェック項目を定義した整合項目ファイル、
上記パラメータ間で整合していない表記をパラメータ間で整合するように変換するための変換ルールを予め定めたパラメータ間表記変換ルールファイル、
上記整合項目ファイルを用いて、上記入出力点リストのパラメータ間の表記の整合性を確認するパラメータ間整合確認手段、
このパラメータ間整合確認手段によってパラメータ間で整合していない表記を、上記パラメータ間表記変換ルールファイルを用いて、パラメータ間で整合するように変更するパラメータ間表記変更手段を備えたことを特徴とする請求項１記載の設計支援システム。
【発明の詳細な説明】
【技術分野】
【０００１】
この発明は、発電プラントなどのプラントのブロック図、ＥＷＤ等の各設計図書から、プラントを監視制御するプラント監視制御装置の入出力点リストを自動生成する設計支援システムに関するものである。
【背景技術】
【０００２】
従来では、例えば特許文献１に、各設計図書から入出力点リストを自動生成することは記載されているが、入出力点リストの項目の文字制限などの制限との整合が図られているかどうかの確認、及び確認の結果、問題となった場合の対処については触れられていなかった。
また、例えば特許文献２には、入出力点リストの生成後に、入出力点リストをさらに展開して、外線を結線する結線表等を作成するために活用することが記載されているが、入出力点リストのパラメータ間の整合性確認については触れられていない。
【先行技術文献】
【特許文献】
【０００３】
【特許文献１】特開２００５−１５７５０５号公報（第４〜１１頁、図１）
【特許文献２】特開平１０−１８７２１４号公報（第４〜６頁、図１）
【発明の概要】
【発明が解決しようとする課題】
【０００４】
プラント監視制御装置の入出力点リストは、表示パラメータ名称の視認の容易さ、あるいはプラント運転監視上のヒューマンエラー防止目的等により、項目毎に文字制限等の制約が存在する。
しかしながら、従来では、プラント監視制御の入出力点リストを自動生成する機能はあっても、項目（工学単位、入力点シンボル、入力点名称等）毎の制約を事前に確認するようにはなっていなかった。そのため、従来では、その制約に合わせて人が手作業で修正する必要があるため、作業時間がかかり、また、単純ミスを併発していた。
また、従来では、各設計図書から入出力点リストを自動生成したものの、入出力点リストの各パラメータを項目毎に比較したときに、整合性が図られているかどうかを確認する機能がなかったため、それについても人が目で見て問題があれば修正する必要があり、作業時間がかかったり、あるいは見落としを発生していた。
また、制限による修正以外にも、パラメータ間の整合性（使用文字の統一：たとえば、“スプレー”とするか“スプレイ”とするか、カンマは“，”とするか“、”とするか等）についても、人が整合性有無を確認し、手作業で修正していたため、作業時間がかかったり、あるいは見落としを発生していた。
【０００５】
この発明は、上述のような課題を解決するためになされたものであり、設計図書からプラント監視制御のための入出力点リストを自動生成する際に、入出力点リストの各項目の表記を、表記の制限と整合させるようにした設計支援システムを得ることを目的にしている。
【課題を解決するための手段】
【０００６】
この発明に係わる設計支援システムにおいては、設計図書からプラント監視制御のための入出力点リストを自動生成する設計支援システムであって、
入出力点リストの各項目の表記についての制限を定義した入出力点リスト制限管理ファイル、
表記についての制限に整合していない入出力点リストの項目の表記を制限に整合するように変換するための変換ルールを予め定めた表記変換ルールファイル、
設計図書から入出力点リストの項目を抽出する抽出手段、
この抽出手段によって抽出された入出力点リストの項目の表記が、入出力点リスト制限管理ファイルの表記についての制限に整合しているかどうかを確認する整合確認手段、
この整合確認手段によって整合が確認されない項目の表記を、表記変換ルールファイルを用いて、制限に整合するように変更する表記変更手段を備えたものである。
【発明の効果】
【０００７】
この発明は、以上説明したように、設計図書からプラント監視制御のための入出力点リストを自動生成する設計支援システムであって、
入出力点リストの各項目の表記についての制限を定義した入出力点リスト制限管理ファイル、
表記についての制限に整合していない入出力点リストの項目の表記を制限に整合するように変換するための変換ルールを予め定めた表記変換ルールファイル、
設計図書から入出力点リストの項目を抽出する抽出手段、
この抽出手段によって抽出された入出力点リストの項目の表記が、入出力点リスト制限管理ファイルの表記についての制限に整合しているかどうかを確認する整合確認手段、
この整合確認手段によって整合が確認されない項目の表記を、表記変換ルールファイルを用いて、制限に整合するように変更する表記変更手段を備えたので、設計図書からプラント監視制御のための入出力点リストを自動生成する際に、入出力点リストの各項目の表記を、表記の制限と整合させることができる。
【図面の簡単な説明】
【０００８】
【図１】この発明の実施の形態１による設計支援システムを示す構成図である。
【図２】この発明の実施の形態１による設計支援システムの入出力点リスト制限管理ファイルを示す図である。
【図３】この発明の実施の形態１による設計支援システムのルールを示す図である。
【図４】この発明の実施の形態１による設計支援システムの問題箇所抽出リストを示す図である。
【図５】この発明の実施の形態１による設計支援システムの入出力点リストを示す図である。
【図６】この発明の実施の形態２による設計支援システムを示す構成図である。
【図７】この発明の実施の形態２による設計支援システムの確認項目を示す図である。
【図８】この発明の実施の形態２による設計支援システムのパラメータ間ルールを示す図である。
【図９】この発明の実施の形態２による設計支援システムのパラメータ間の問題箇所抽出リストを示す図である。
【図１０】この発明の実施の形態２による設計支援システムの整合が確認された入出力点リストを示す図である。
【発明を実施するための形態】
【０００９】
実施の形態１．
以下、この発明の実施の形態１を図に基づいて説明する。
図１は、この発明の実施の形態１による設計支援システムを示す構成図である。
図１において、ブロック図１１、ＥＷＤ図１２等の上流の設計図書よりプラント監視制御装置の入出力点リストを自動生成する自動生成処理１０の中に、入出力点リストの各項目を抽出する抽出処理１３（抽出手段）と、入出力点リスト制限管理ファイル１５に基づき、入出力点リストの各項目の表記が、表記の制限と整合しているかどうかを確認する整合確認処理１４（整合確認手段）と、整合確認処理１４で問題となった項目を、予め定めたルール１７（表記変換ルールファイル）に基づき、表記を変更する表記変更処理１６（表記変更手段）を設けている。
整合確認処理１４で問題がなければ、入出力点リスト２１が出力される。
また、表記変更処理１６で、予め定めたルール１７では問題が解決されず、変更されずに残った項目は、問題箇所抽出リスト１８として出力される。この問題箇所抽出リスト１８に基づき、ルール１７を修正処理１９により、手動で修正する。修正処理１９は、また、手動でブロック図１１、ＥＷＤ図１２の修正を行えるようになっている。
【００１０】
図２は、この発明の実施の形態１による設計支援システムの入出力点リスト制限管理ファイルを示す図である。
図２において、入出力点リスト制限管理ファイル１５は、入出力点リストの項目ごとに、表記の文字数を制限する文字数制限１５１、半角及び全角の使用を制限する半角全角使用制限１５２、使用する文字を制限する使用文字制限１５３、他のパラメータとの重複を制限する、他のパラメータとの重複制限１５４を定めている。
【００１１】
図３は、この発明の実施の形態１による設計支援システムのルールを示す図である。
図３において、予め定めたルール１７は、入出力点リストの項目ごとに、文字や数字を略号化するための文字数略号ルール１７１、工学単位を略号化するための単位略号ルール１７２、文字の半角と全角とを変換するための半角全角変換処理ルール１７３、使用禁止文字を使用可能な文字に変換するための使用禁止文字変換ルール１７４を定めている。
【００１２】
図４は、この発明の実施の形態１による設計支援システムの問題箇所抽出リストを示す図である。
図４において、問題箇所抽出リスト１８が示されている。例えば、入力点シンボル重複制限に問題あり、入力点名称文字数制限に問題ありなどとして、問題点が示されている。
【００１３】
図５は、この発明の実施の形態１による設計支援システムの入出力点リストを示す図である。
図５において、入出力点リスト２１は、行方向に記載されたパラメータ（入出力点）ごとに、入力点シンボル、入力点名称、工学単位、工学レンジ（上限）、工学レンジ（下限）の各項目が記載されている。
【００１４】
次に、動作について説明する。
ブロック図１１、ＥＷＤ図１２等の設計図書は、電子ファイル（汎用ソフト、ＣＡＤデータ等）になっており、入出力点リストの対象となるパラメータの入出力点シンボルが、予め明記されている（例：入出力点シンボル表示とともに、“Ｃ“という文字が電子データとして紐付けられているため、“Ｃ“という文字に基づき、入出力点シンボルを抽出することが可能である）。そこで、まず、抽出処理１３にて、ブロック図１１、ＥＷＤ図１２等の設計図書から入出力点シンボルを抽出し、さらに入出力点シンボルに基づき、その他の必要な各項目（入出力点名称、工学単位、工学レンジ等）を抽出する。
【００１５】
次に、入出力点リスト制限管理ファイル１５に定めた入出力点リストの各項目の表記の制限である、文字数制限１５１、半角全角使用制限１５２、使用文字制限１５３、他のパラメータとの重複制限１５４に基づき、整合確認処理１４にて、入出力点リストの各項目の表記が、表記の制限に整合されているかどうかの確認処理を実施する。
なお、入出力点リスト制限管理ファイル１５に定めた制限は、入出力点リストの仕様として規定される制約をリスト化したものであるため、その制約内容の追加・削除・変更に応じて、入出力点リスト制限管理ファイル１５は、修正されるようになっている。
【００１６】
整合確認処理１４で問題となった項目は、表記変更処理１６によって、予め定めたルール１７の文字数略号ルール１７１、単位略号ルール１７２、半角全角変換処理ルール１７３、使用禁止文字変換ルール１７４に基づき、変更される。
ブロック図１１、ＥＷＤ図１２の修正が必要なパラメータ、あるいは、予め定めたルール１７では問題が解決せずに残った項目は、問題箇所抽出リスト１８として出力される。
【００１７】
問題箇所抽出リスト１８として記載されたもののうち、ブロック図１１、ＥＷＤ図１２の修正が必要なパラメータについては、ブロック図１１、ＥＷＤ図１２の修正を修正処理１９により行う。
たとえば、図４のように、入力点シンボルの重複が問題として抽出された場合は、一方の入力点シンボルをブロック図１１、ＥＷＤ図１２にて変更する必要がある。
なお、図５の入出力点リスト例の場合では、パラメータ４の入力点シンボルをＴ４０００からＦ５２００に変更した結果を示している。
【００１８】
また、問題箇所抽出リスト１８として記載されたもののうち、ブロック図１１、ＥＷＤ図１２の修正以外のものは、入出力点リスト制限管理ファイル１５の制限に対して問題とならないように、予め定めたルール１７を、修正処理１９により、追加・変更・削除して修正を行う。
たとえば、図４のように、入力点名称の文字制限が問題として抽出された場合は、文字制限に収まるように文字数略号ルール１７１にルールを追加する。なお、図５の例では、文字数略号ルール１７１に“Ｂ―タービン動給水ポンプ”から“Ｂ−Ｔ／Ｄ  ＦＷＰ”に変更するルールを追加し、改めて、抽出処理１３からの処理を行い、変更処理１６にて、再度処理されることで、入力点名称の文字数が２５文字から２２文字となった結果を示している。
【００１９】
上記の処理を、入出力点リストの項目表記の制限に対する整合確認処理１４で問題がなくなるまで繰り返し実施する。入出力点リストの項目表記の制限に対する整合確認処理１４にて問題なしとなることで、図５の入出力点リスト２１が作成される。
【００２０】
実施の形態１によれば、設計図書からプラント監視制御の入出力点リストを自動生成する際に、入出力点リストの各項目の表記を、表記の制限と整合しているかどうかを確認し、その確認で問題となった場合には、入出力点リストの各項目の表記の制限と整合するように項目の表記を変更するので、各項目の表記の制限に整合した入出力点リストを作成することができる。
【００２１】
実施の形態２．
以下、この発明の実施の形態２を図に基づいて説明する。
図６は、この発明の実施の形態２による設計支援システムを示す構成図である。
図６において、自動生成処理１０は、さらに、実施の形態１にて生成した入出力点リスト２１に対して、確認項目２４（確認項目ファイル）に基づいて、パラメータ間の表記の整合性を確認するパラメータ間整合確認処理２２（パラメータ間整合確認手段）と、このパラメータ間整合確認処理２２で問題となった項目について、パラメータ間の表記を統一するように、予め定めたパラメータ間ルール２５（パラメータ間表記変換ルールファイル）に基づき、変更するパラメータ間表記変更処理２３（パラメータ間表記変更手段）とを有する。
パラメータ間表記変更処理２３で変更できない問題のリストとして、パラメータ間の問題箇所抽出リスト２６が出力される。このパラメータ間の問題箇所抽出リスト２６を用いて、修正処理２７により、パラメータ間ルール２５が手動で修正される。
また、パラメータ間整合確認処理２２で問題がなかった場合には、パラメータ間の表記の整合が確認された入出力点リスト２８が出力される。
【００２２】
図７は、この発明の実施の形態２による設計支援システムの確認項目を示す図である。
図７において、確認項目２４は、入出力点リストに対するパラメータ間の整合を保つ観点からの確認事項として培ってきたエンジニアの知識データベースである。
【００２３】
図８は、この発明の実施の形態２による設計支援システムのパラメータ間ルールを示す図である。
図８において、パラメータ間の整合について予め定めたパラメータ間ルール２５は、使用文字を定めた文字使用ルール２５１、表示桁数を定めた桁数使用ルール２５２を有している。
【００２４】
図９は、この発明の実施の形態２による設計支援システムのパラメータ間の問題箇所抽出リストを示す図である。
図９において、パラメータ間の問題箇所抽出リスト２６には、整合が図られていないパラメータが示されている。
【００２５】
図１０は、この発明の実施の形態２による設計支援システムの整合が確認された入出力点リストを示す図である。
図１０において、整合が確認された入出力点リスト２８には、パラメータごとに、入力点シンボル、入力点名称、工学単位、工学レンジ（上限）、工学レンジ（下限）が記載されている。
【００２６】
次に動作について説明する。
実施の形態１にて生成された入出力点リスト２１は、パラメータ間整合確認処理２２に渡される。パラメータ間整合確認処理２２では、確認項目２４に基づき、パラメータ間の表記の整合の確認処理を行う。なお、確認項目２４は、知識データベースを追加・変更・削除されるようになっている。
パラメータ間整合確認処理２２で問題となったパラメータは、パラメータ間表記変更処理２３に渡され、予め定めたパラメータ間ルール２５に基づき、変更される。予め定めたパラメータ間ルール２５では問題が解決せずに残ったものは、パラメータ間の問題箇所抽出リスト２６として出力される。
パラメータ間の問題箇所抽出リスト２６に残ったものは、確認項目２４に基づくパラメータ間整合確認処理２２で問題とならないように、予め定めたパラメータ間ルール２５に対して、修正処理２７により、追加・変更・削除を実施する。
【００２７】
上記の処理を、パラメータ間整合確認処理２２で、問題がなくなるまで繰り返し実施する。パラメータ間整合確認処理２２にて問題なしとなることで、パラメータ間の整合が確認された入出力点リスト２８が作成される。
【００２８】
実施の形態２によれば、実施の形態１で生成された入出力点リストのパラメータ間の項目表記が整合しているかどうかを確認し、不整合の場合には予め定めたパラメータ間ルールに基づき、変更するので、パラメータ間の項目表記の整合のとれた入出力点リストを作成することができる。
【符号の説明】
【００２９】
１１  ブロック図
１２  ＥＷＤ図
１３  抽出処理
１４  整合確認処理
１５  入出力点リスト制限管理ファイル
１６  表記変更処理
１７  ルール
１８  問題箇所抽出リスト
１９  修正処理
２１  入出力点リスト
２２  パラメータ間整合確認処理
２３  パラメータ間表記変更処理
２４  確認項目
２５  パラメータ間ルール
２６  パラメータ間の問題箇所抽出リスト
２７  修正処理
２８  整合が確認された入出力点リスト
１５１  文字数制限
１５２  半角全角使用制限
１５３  使用文字制限
１５４  他のパラメータとの重複制限
１７１  文字数略号ルール
１７２  単位略号ルール
１７３  半角全角変換処理ルール
１７４  使用禁止文字変換ルール
２５１  文字使用ルール
２５２  桁数使用ルール
【図１】
2010211502.tif 000003
【図２】
2010211502.tif 000004
【図３】
2010211502.tif 000005
【図４】
2010211502.tif 000006
【図５】
2010211502.tif 000007
【図６】
2010211502.tif 000008
【図７】
2010211502.tif 000009
【図８】
2010211502.tif 000010
【図９】
2010211502.tif 000011
【図１０】
2010211502.tif 000012